(57)【要約】【課題】工期を短縮することのできる建物の施工方法を提供することを目的とする。【解決手段】建物の施工方法は、複数のアンボンドプレキャストプレストレストコンクリート柱を含むコア部と、コア部の外周に設けられる外周部とを備える建物の施工方法において、コア部の所定階層を施工するコア部施工工程と、外周部の所定階層を少なくともコア部施工工程よりも後に施工する外周部施工工程と、を含む。【選択図】図１
2020056165.tif 000002
【特許請求の範囲】
【請求項１】
複数のアンボンドプレキャストプレストレストコンクリート柱を含むコア部と、前記コア部の外周に設けられる外周部とを備える建物の施工方法において、
前記コア部における所定階層を施工するコア部施工工程と、
前記外周部における前記所定階層を少なくとも前記コア部施工工程よりも後に施工する外周部施工工程と、を含む、建物の施工方法。
【請求項２】
前記外周部における前記所定階層のコンクリート養生中に、前記コア部における前記所定階層より上の複数階層を施工する、請求項１に記載の建物の施工方法。
【請求項３】
前記アンボンドプレキャストプレストレストコンクリート柱は、前記コア部の角部に配置される第１柱と、前記コア部の辺部に配置される第２柱と、を含み、
前記コア部は、前記第１柱と前記第２柱との間に設けられたエネルギ吸収部材と、隣接する２つの前記第２柱の間に設けられた梁と、を含む、請求項１又は２に記載の建物の施工方法。
【請求項４】
前記アンボンドプレキャストプレストレストコンクリート柱は、プレキャストコンクリート、及び前記プレキャストコンクリートを貫通するＰＣ鋼材である緊張材を備え、
前記コア部施工工程は、
前記コア部における前記所定階層より一階層下の下階層の前記緊張材に、前記所定階層の前記緊張材を連結する連結工程と、
前記下階層の前記プレキャストコンクリートに、前記所定階層の前記プレキャストコンクリートを接合する接合工程と、
前記接合工程の後に前記所定階層の前記緊張材を上方に引っ張る緊張工程と、を含む、請求項１から３のいずれか一項に記載の建物の施工方法。
【請求項５】
前記緊張工程よりも後に、前記所定階層まで昇降可能なエレベータを前記コア部に設置するエレベータ設置工程を含む、請求項４に記載の建物の施工方法。
【請求項６】
前記エレベータによって、前記外周部を構成する部材を前記所定階層まで揚重する揚重工程を含む、請求項５に記載の建物の施工方法。
【請求項７】
前記揚重工程によって前記所定階層まで揚重された前記部材を、前記外周部の外周に配置されたクレーンによって運搬する運搬工程を含む、請求項６に記載の建物の施工方法。
【発明の詳細な説明】
【技術分野】
【０００１】
本発明は、建物の施工方法に関する。
【背景技術】
【０００２】
従来、高層建物及び超高層建物において、建物のコア部分として階段及びエレベータ等を各階層の同じ位置に集中して設け、これを構造部材として活用し、コア外周部分に広い空間を提供するコア構造が知られている。一般的に、コア部分の壁は場所打ちコンクリートで構築され、柱は鉄筋コンクリートで構築される。コア部分にコア壁を設け、内周チューブ架構とし、建物外周部にラーメン構造の外周チューブ架構が設けられる建物構造（特許文献１参照）等も知られている。
【先行技術文献】
【特許文献】
【０００３】
【特許文献１】特開２０１１−６９１４８号公報
【発明の概要】
【発明が解決しようとする課題】
【０００４】
しかしながら、壁及び柱を場所打ちコンクリートで構築すると、硬化に時間がかかる。また、１階層ごとに施工する必要があり工期が長くなる。さらに、プレキャストプレストレストコンクリート柱を用いる場合も、ＰＣ鋼材付着用のグラウトの硬化に時間がかかるため、工期が長くなる。特許文献１の建物構造でも、コア壁を現場打ちコンクリートで構築するため、同様の課題があった。
【０００５】
本開示は、上記に鑑みてなされたものであって、工期を短縮することのできる建物の施工方法を提供することを目的とする。
【課題を解決するための手段】
【０００６】
上述した課題を解決し、目的を達成するために、本開示の一様態は、複数のアンボンドプレキャストプレストレストコンクリート柱を含むコア部と、コア部の外周に設けられる外周部とを備える建物の施工方法において、コア部の所定階層を施工するコア部施工工程と、外周部の所定階層を少なくともコア部施工工程よりも後に施工する外周部施工工程と、を含む、建物の施工方法である。
【０００７】
なお、上記の建物の施工方法の様態において、外周部における所定階層のコンクリート養生中に、コア部における所定階層より上の複数階層を施工することが好ましい。
【０００８】
なお、上記の建物の施工方法の様態において、アンボンドプレキャストプレストレストコンクリート柱は、コア部の角部に配置される第１柱と、コア部の辺部に配置される第２柱と、を含み、コア部は、第１柱と第２柱との間に設けられたエネルギ吸収部材と、隣接する２つの第２柱の間に設けられた梁と、を含むことが好ましい。
【０００９】
なお、上記の建物の施工方法の様態において、アンボンドプレキャストプレストレストコンクリート柱は、プレキャストコンクリート、及びプレキャストコンクリートを貫通するＰＣ鋼材である緊張材を備え、コア部施工工程は、コア部における所定階層より一階層下の下階層の緊張材に、所定階層の緊張材を連結する連結工程と、下階層のプレキャストコンクリートに、所定階層のプレキャストコンクリートを接合する接合工程と、接合工程の後に所定階層の緊張材を上方に引っ張る緊張工程と、を含むことが好ましい。
【００１０】
なお、上記の建物の施工方法の様態において、緊張工程よりも後に、所定階層まで昇降可能なエレベータをコア部に設置するエレベータ設置工程を含むことが好ましい。
【００１１】
なお、上記の建物の施工方法の様態において、エレベータによって、外周部を構成する部材を所定階層まで揚重する揚重工程を含むことが好ましい。
【００１２】
なお、上記の建物の施工方法の様態において、揚重工程によって所定階層まで揚重された部材を、外周部の外周に配置されたクレーンによって運搬する運搬工程を含むことが好ましい。
【発明の効果】
【００１３】
本開示によれば、工期を短縮できるという効果を奏する。
【図面の簡単な説明】
【００１４】
【図１】図１は、実施形態に係る施工中の建物の架構を示す模式斜視図である。
【図２】図２は、実施形態に係る建物の架構を示す模式側面図である。
【図３】図３は、実施形態に係る柱を示す模式断面図である。
【図４】図４は、コア部の柱の接合方法の一例を説明するフローチャートである。
【図５】図５は、エレベータの設置例を示す模式斜視図である。
【図６】図６は、クレーンの設置例を示す模式平面図である。
【図７】図７は、所定階層の施工工程の一例を説明するフローチャートである。
【発明を実施するための形態】
【００１５】
以下に、本発明に係る建物の施工方法の実施形態について図面に基づいて詳細に説明する。なお、本発明は、以下の実施形態の記載に限定されるものではない。また、以下の実施形態における構成要素には、当業者が置換可能且つ容易なもの、あるいは実質的に同一のものが含まれる。また、以下に記載した構成要素は発明の趣旨を逸脱しない範囲で種々の改変を行ってもよい。さらに、以下に記載した構成要素は適宜組み合わせることが可能である。なお、以下の実施形態の説明において、同一構成には同一符号を付し、異なる構成には異なる符号を付すものとする。
【００１６】
（実施形態）
まず、実施形態の施工方法によって施工される建物１０の全体構成について説明する。図１は、実施形態に係る施工中の建物の架構を示す模式斜視図である。図２は、実施形態に係る建物の架構を示す模式側面図である。建物１０は、コア部２０と、外周部５０と、を備える。建物１０は、実施形態において、高層建物である。建物１０は、例えば高さ６０ｍ以上の超高層建物である。建物１０は、図１において、コア部２０及び外周部５０の一部が図示されている。具体的には、コア部２０は、第２階層から第５階層までの床梁（第１梁２８）と、第１階層から第４階層までの柱２２とが図示されている。外周部は、第２階層及び第３階層の床梁（第２梁５４及び第３梁５６）と、第１階層及び第２階層の柱（第３柱５２）とが図示されている。１つの階層は、床梁（第１梁２８、第２梁５４及び第３梁５６）と、床梁の上に設けられた柱（第１柱２４、第２柱２６及び第３柱５２）と、を含む。第１階層とは、地面の直上の階層を意味する。建物１０は、図１において、第１階層の床梁を省略して図示されている。
【００１７】
コア部２０は、実施形態において、建物１０の内周部の中央部に設けられる。コア部２０は、実施形態において、平面視で矩形状である。より具体的には、コア部２０は、実施形態において、平面視で正方形状である。コア部２０は、複数の柱２２を含む。複数の柱２２は、第１柱２４と、第２柱２６と、を含む。コア部２０は、さらに、複数の第１梁２８と、複数のエネルギ吸収部材３０と、を含む。第１柱２４、第２柱２６、第１梁２８及びエネルギ吸収部材３０は、階層毎に設けられる。コア部２０は、構造設計上問題のない範囲であれば、中央部に設けられなくてもよい。コア部２０は、図２に示すように、実施形態において、途中の階層まで設けられる。コア部２０は、構造設計上問題のない範囲であれば、建物１０の最上階層までなくともよく、建物１０の最上階層まで設けられてもよい。
【００１８】
第１柱２４は、平面視においてコア部２０の角部に配置される。第１柱２４は、実施形態において、コア部２０の平面視形状である矩形状の角部にそれぞれ配置される。コア部２０の平面視形状とは、平面視においてコア部２０の外周面が描く形状を意味する。第１柱２４は、実施形態において、コア部２０の平面視形状である矩形状の辺に平行な辺を平面視で有する矩形状の柱である。より具体的には、第１柱２４は、実施形態において、平面視で正方形状の柱である。
【００１９】
第２柱２６は、１本の第１柱２４に対して２本ずつ配置される。第２柱２６は、第１柱２４の隣接する２つの面にそれぞれ対向し且つ近接して配置される。第２柱２６は、平面視において、対向する第１柱２４の辺に平行な短辺と、短辺に直交する長辺と、を有する長方形状である。第２柱２６は、実施形態において１本の第１柱２４に対して２本ずつ配置されるが、３本以上配置されてもよく、階層毎に異なる本数が配置されてもよい。第２柱２６は、建物１０に少なくとも複数本あればよい。
【００２０】
第１柱２４は、アンボンドプレキャストプレストレストコンクリート柱である。アンボンドプレキャストプレストレストコンクリート柱は、現場打ちコンクリート柱に比べ、工期を短縮でき、品質が均一で高品質である。また、鉄筋コンクリート柱に比べ、予め応力が作用しているので、残留変形が少ない。さらに、プレキャストプレストレスト柱と比べ、ＰＣ鋼材（後述の緊張材３４を参照）が定着されていないので、ひずみが局所的に集中して発生することがなく、高い復元性を有する。
【００２１】
第１柱２４は、構造設計上、従来のコア構造の柱としての機能を果たし、第２柱２６は、構造設計上、従来のコア構造の壁としての機能を果たす。第２柱２６は、第１柱２４と同様に、アンボンドプレキャストプレストレストコンクリートであり、構造設計上の要件を満たす範囲であれば、壁でもよい。
【００２２】
第１梁２８は、コア部２０の平面視形状である矩形状の１辺上において、隣接する２つの第２柱２６を連結する。第１梁２８は、第２柱２６に支持される。第１梁２８は、実施形態において、鉄筋コンクリート梁である。鉄筋コンクリート梁は、支保工等によって支えられコンクリートを養生する。第１梁２８は、プレキャスト梁、アンボンドプレキャストプレストレストコンクリート梁、プレキャストプレストレストコンクリート梁等でもよい。
【００２３】
エネルギ吸収部材３０は、第１柱２４と第２柱２６との間に設けられる。エネルギ吸収部材３０は、コア部２０の平面視形状である矩形状の１辺上において、隣接する第１柱２４と第２柱２６とを連結する。エネルギ吸収部材３０は、エネルギ吸収性を有する。エネルギ吸収部材３０は、例えば、低降伏点鋼材又は繊維補強コンクリート等のエネルギ吸収性を有する部材又は材料で形成される。エネルギ吸収部材３０は、第１柱２４及び第２柱２６への固定に養生期間を必要としない。エネルギ吸収部材３０は、第１柱２４及び第２柱２６にボルト等を用いて結合される。これにより、エネルギ吸収部材３０は、取替えが容易である。
【００２４】
地震発生時において、従来では、鉄筋コンクリートの梁が曲げ降伏することによってエネルギを吸収する。これに対し、実施形態では、第１柱２４及び第２柱２６のＰＣ鋼材（後述の緊張材３４を参照）を緊張することによって、ひび割れ及び残留変形等の損傷を制御する。また、エネルギ吸収部材３０を設けることによって、地震力を吸収することができる。そのため、従来の建物では、震災後には大規模な梁の修復工事等が必要となる場合があるが、実施形態では、エネルギ吸収部材３０が取替え可能であるので、大規模な修復工事が不要となる。
【００２５】
外周部５０は、コア部２０の外周に設けられるラーメン架構である。外周部５０は、実施形態において、コア部２０の上方にも設けられる。すなわち、建物１０は、途中の階層まではコア部２０を有し、上方の階層においてはコア部２０を有さない。外周部５０の平面視形状である矩形状の４辺は、コア部２０の平面視形状である矩形状の４辺と平行である。外周部５０は、複数の第３柱５２と、複数の第２梁５４と、第３梁５６と、を含む。第３柱５２、第２梁５４及び第３梁５６は、階層毎に設けられる。外周部５０は、コア部２０が設けられない階層において、さらに第１柱２４と、第４梁５８と、を含む。第１柱２４及び第４梁５８は、階層毎に設けられる。第１柱２４は、実施形態において、コア部２０が設けられる階層から連続して設けられる。コア部２０が設けられない階層において、アンボンドプレキャストプレストレストコンクリート柱である第１柱２４に代えて、鉄筋コンクリート柱等が設けられてもよい。この場合、コア部２０の最上階層の第１柱２４に、鉄筋コンクリート柱、鉄骨柱等が接合される。
【００２６】
複数の第３柱５２は、建物１０の外周に沿って配置される。すなわち、複数の第３柱５２は、外周部５０の平面視形状である矩形状の４辺に沿って配置される。第３柱５２は、平面視において、外周部５０の平面視形状である矩形状の辺に平行な辺を有する矩形状の柱である。第３柱５２は、実施形態において、平面視で正方形状の柱である。第３柱５２は、外周部５０の平面視形状である矩形状の角部には配置されない。第３柱５２は、例えば鉄筋コンクリート柱、鉄骨柱である。第３柱５２の配置は、実施形態の配置に限定されない。第３柱５２は、外周部５０の平面視形状である矩形状の角部に配置してもよい。
【００２７】
第２梁５４は、外周部５０の平面視形状である矩形状の４辺上において、隣接する２つの第３柱５２を連結する。外周部５０の平面視形状である矩形状の角部において、第３柱５２が配置されないので、第２梁５４は、平面視でＬ字状に屈曲して設けられる。第２梁５４は、例えば鉄筋コンクリート梁、鉄骨、ハイブリッド梁である。
【００２８】
第３梁５６は、コア部２０の平面視形状である矩形状の各４辺の延長上に配置される。第３梁５６は、第１柱２４と第３柱５２とを連結する。第３梁５６は、例えば鉄筋コンクリート梁である。第３梁５６は、第２梁５４と同一の部材でもよいし、異なる部材でもよい。第３梁５６は、例えば鉄筋コンクリート梁、鉄骨、ハイブリッド梁である。
【００２９】
第４梁５８は、コア部２０が設けられない階層において、隣接する２つの第１柱２４を連結する。第４梁５８は、第１柱２４に支持される。第４梁５８は、実施形態において、鉄筋コンクリート梁である。鉄筋コンクリート梁は、支保工等によって支えられコンクリートを養生する。第４梁５８は、第２梁５４及び第３梁５６と同一の部材でもよいし、異なる部材でもよい。第４梁５８は、例えば鉄筋コンクリート梁、鉄骨、ハイブリッド梁である。第４梁５８は、プレキャスト梁、アンボンドプレキャストプレストレストコンクリート梁、プレキャストプレストレストコンクリート梁等でもよい。
【００３０】
次に、実施形態に係る第１柱２４のより詳細な構成について説明する。第２柱２６については、以下に説明する第１柱２４と同様の構成を有するため説明を省略する。図３は、実施形態に係る柱を示す模式断面図である。図３に示すように、第１柱２４は、プレキャストコンクリート３２と、緊張材３４と、を備える。プレキャストコンクリート３２は、第１柱２４の外形状を含む。プレキャストコンクリート３２は、上端に設けられる凹部３６と、凹部３６に配置され且つ長手方向に沿う複数の貫通孔３８を有する。
【００３１】
緊張材３４は、ＰＣ鋼材である。緊張材３４は、プレキャストコンクリート３２の貫通孔３８を貫通する。緊張材３４は、プレキャストコンクリート３２に対して鉛直方向にアンボンド状態で配置される。貫通孔３８の内径は、緊張材３４の外径より大きい。緊張材３４のプレキャストコンクリート３２に対するアンボンド状態は、緊張材３４の外周面と貫通孔３８の内周面との間に環状の間隙が設けられる状態である。緊張材３４は、例えば、建物１０の最下端の階層におけるプレキャストコンクリート３２から最上端の階層におけるプレキャストコンクリート３２まで連続して連結される。上下に隣接する緊張材３４は、継手４０を介して連結される。アンボンド状態は、実施形態において、緊張材３４がプレキャストコンクリート３２に付着されない状態であるが、緊張材３４がプレキャストコンクリート３２の内部において長手方向に伸縮できる状態であればよい。例えば、緊張材３４の外周面と貫通孔３８の内周面との間の間隙にグリース等が充填されていてもよい。
【００３２】
第１柱２４は、さらに、複数のプレート４２と、複数のナット４４と、複数のカバー４６と、充填材４８と、を備える。プレート４２は、凹部３６の底面に配置される。緊張材３４は、プレート４２を貫通する。プレート４２は、貫通孔３８の上端を塞ぐ。ナット４４は、プレート４２を凹部３６の底面に固定する。カバー４６は、凹部３６において、緊張材３４、プレート４２及びナット４４の周囲に設けられる筒形状の部材である。カバー４６の高さは、上下に隣接するプレキャストコンクリート３２の隙間の距離より若干大きい。充填材４８は、上下に隣接するプレキャストコンクリート３２の隙間を充填する。カバー４６は、充填材４８が緊張材３４に流れ込むことを抑制する。充填材４８は、例えばグラウトである。
【００３３】
次に、コア部２０において、上下に隣接する第１柱２４の接合方法、すなわち所定階層ＳＬの第１柱２４を所定階層ＳＬより一階層下の下階層ＬＬの第１柱２４に接合する施工工程について説明する。図４は、コア部の柱の接合方法の一例を説明するフローチャートである。上下に隣接する第１柱２４を接合する施工工程は、連結工程Ｓ１２と、接合工程Ｓ１４と、注入工程Ｓ１６と、緊張工程Ｓ１８と、を含む。
【００３４】
上下に隣接する第１柱２４において、互いの接合が完了した状態では、上方のプレキャストコンクリート３２の上端から緊張材３４の上端が突出している。すなわち、所定階層ＳＬの第１柱２４の下階層ＬＬの第１柱２４への接合を開始する時点において、下階層ＬＬの緊張材３４の上端は、プレキャストコンクリート３２の上端から突出している。
【００３５】
連結工程Ｓ１２において、作業者は、下階層ＬＬの緊張材３４の上端に、所定階層ＳＬの緊張材３４の下端を連結する。下階層ＬＬの緊張材３４の上端と、所定階層ＳＬの緊張材３４の下端とは、継手４０を介して連結される。連結工程Ｓ１２の後、作業者は、接合工程Ｓ１４より前に、下階層ＬＬの緊張材３４の周囲に予めカバー４６を配置することが好ましい。カバー４６は、下階層ＬＬの凹部３６の上面と継手４０の下端との間に設けられる。
【００３６】
接合工程Ｓ１４において、作業者は、所定階層ＳＬのプレキャストコンクリート３２を、複数のカバー４６の上に下降させ、下階層ＬＬのプレキャストコンクリート３２に接合させる。
【００３７】
注入工程Ｓ１６において、作業者は、接合工程Ｓ１４で接合された下階層ＬＬのプレキャストコンクリート３２と所定階層ＳＬのプレキャストコンクリート３２との間に充填材４８を注入する。作業者は、充填材４８が十分に硬化した後、緊張工程Ｓ１８に移行する。
【００３８】
緊張工程Ｓ１８において、作業者は、所定階層ＳＬの緊張材３４を上方に引っ張る。作業者は、例えばジャッキ等を用いて緊張材３４を上方に引っ張る。作業者は、緊張材３４を上方に引っ張った状態で、ナット４４を所定階層ＳＬのプレート４２上で締め付ける。緊張工程Ｓ１８は、実施形態において、注入工程Ｓ１６よりも後に行われるが、注入工程Ｓ１６よりも前に行われてもよい。
【００３９】
このように、所定階層ＳＬの第１柱２４は、下階層ＬＬの第１柱２４と接合される。第１柱２４は、アンボンドプレキャストプレストレストコンクリート柱であるので、貫通孔３８に充填材を注入し養生する作業が必要ない。これにより、すぐに１階層上の第１柱２４の施工を開始することができる。すなわち、コア部２０の所定階層ＳＬの施工後すぐに、１階層上のコア部２０を施工することができるので、工期を大幅に短縮することができる。
【００４０】
所定階層ＳＬの第１柱２４を施工した後に、所定階層ＳＬの第２柱２６を施工する。第２柱２６を接合する施工工程は、第１柱２４と同様の施工工程を有する。所定階層ＳＬの第２柱２６に対して緊張工程Ｓ１８まで完了すると、第２柱２６に対して、所定階層ＳＬの第１梁２８を連結する作業を開始することが可能である。第１梁２８は、緊張工程Ｓ１８の後、支保工等によって支えられて、所定の位置に配置される。所定の位置に配置された第１梁２８は、一端を第２柱２６に接合され、他端を隣接する第１梁２８に接合される。接合された隣接する２つの第１梁２８は、第２柱２６に支持される。
【００４１】
第１梁２８は、実施形態において、鉄筋コンクリート梁であるので、コンクリートの養生期間を必要とする。しかしながら、第１梁２８は、支保工等によって支えられてコンクリートを養生する。したがって、第１柱２４及び第２柱２６のアンボンドプレキャストプレストレストコンクリート柱の緊張工程Ｓ１８が完了していれば、第１梁２８のコンクリートの養生期間を待たなくとも上の階層の施工を開始することができる。
【００４２】
第１柱２４及び第２柱２６が施工された後に、エネルギ吸収部材３０が施工される。エネルギ吸収部材３０は、第１柱２４と第２柱２６との間に設けられる。エネルギ吸収部材３０は、第１柱２４及び第２柱２６にボルト等を用いて結合される。
【００４３】
このように、実施形態ではコア部２０の施工工程は、第１柱２４、第２柱２６、第１梁２８、エネルギ吸収部材３０の順に施工される。第１柱２４の施工工程、第２柱２６の施工工程、第１梁２８の施工工程、エネルギ吸収部材３０の施工工程は前後してもよい。
【００４４】
コア部２０の施工工程は、上下に隣接するプレキャストコンクリート３２の間の充填材４８の養生期間以外の空き時間を必要としない。そのため、建物１０においては、コア部２０が先行して施工され、外周部５０が後から追い掛けるように施工されることが可能である。少なくとも所定階層ＳＬにおいて、外周部５０は、コア部２０より後に施工される。
【００４５】
次に、建物１０に設置されるエレベータ６０について説明する。図５は、エレベータの設置例を示す模式斜視図である。建物１０は、図５において、コア部２０の内周を示すために一部を省略して図示されている。
【００４６】
エレベータ６０は、工事現場用の仮設エレベータである。エレベータ６０は、建物１０の施工中にコア部２０及び外周部５０を構成する部材、及び工事用機材等を所定階層ＳＬまで搬入する。部材は、例えば、外周部５０の床板、外壁のカーテンウォール等である。また、作業員は、エレベータ６０によって所定階層ＳＬまで移動することができる。エレベータ６０は、コア部２０の内周に沿って設けられる。エレベータ６０は、部材等を積載する搬送部６２と、搬送部６２の昇降移動を案内するガイドレール６４と、を含む。ガイドレール６４は、実施形態において、第２柱２６に沿って鉛直方向に設けられる。ガイドレール６４は、１階層毎に継ぎ足し、延長して設置することができる。ガイドレール６４は、コア部２０の架構が所定階層ＳＬまで施工完了した場合、所定階層ＳＬまで設置できる。
【００４７】
建物１０においては、所定階層ＳＬのコア部２０が所定階層ＳＬの外周部５０より先行して施工されるので、所定階層ＳＬの外周部５０を構成する部材をエレベータ６０によって所定階層ＳＬまで揚重することができる。このため、建物１０の施工方法は、工期をより短縮できる。
【００４８】
次に、建物１０の外周に設置されるクレーン７０Ａ及びクレーン７０Ｂについて説明する。図６は、クレーンの設置例を示す模式平面図である。実施形態においては、建物１０の外周に２機のクレーン７０Ａ及び７０Ｂが設置される。クレーン７０Ａ及びクレーン７０Ｂは、平面視において、クレーン７０Ａの作業領域ＴＡ及びクレーン７０Ｂの作業領域ＴＢが、建物１０全体を覆うように設置される。
【００４９】
クレーン７０Ａ及びクレーン７０Ｂは、実施形態において、マストクライミング式のタワークレーンである。クレーン７０Ａ及びクレーン７０Ｂは、建物１０の施工中にコア部２０及び外周部５０を構成する部材、工事用機材等を運搬する。クレーン７０Ａ及びクレーン７０Ｂは、支柱７２と、本体７４と、ブーム７６と、滑車７８と、昇降用ワイヤと、フックと、を含む。支柱７２は、鉛直方向に延びる。本体７４は、支柱７２の上端に設けられる。本体７４は、支柱７２を継ぎ足すことによって昇降可能である。ブーム７６は、本体７４に対して旋回可能且つ搖動可能である。滑車７８は、ブーム７６の先端に設けられる。滑車７８は、本体７４と部材等を吊るすフックとを繋ぐ昇降用ワイヤが掛けられる。
【００５０】
一般的に、クレーンの数を増やすにはコストがかかってしまう。また、従来においては、クレーンが２台ある場合、一方のクレーンが作業している間、他方のクレーンはコンクリートの養生期間中で稼動できない等、クレーンの有効活用が大きな課題となっていた。実施形態においては、エレベータ６０は、所定階層ＳＬの外周部５０を構成する部材を所定階層ＳＬまで揚重するので、クレーン７０Ａ及びクレーン７０Ｂによる作業量を低減することができ、限られたクレーンの活用ができる。より具体的には、例えば、外周部５０がコンクリート養生期間中である場合、クレーン７０Ａはコア部分の部材の揚重作業を行い、クレーン７０Ｂは運搬作業を行うなど、どのクレーンも稼働させることができ、作業の効率化が図れる。さらに、エレベータ６０とクレーン７０Ａ及びクレーン７０Ｂとが同時に揚重及び運搬作業をすることによって、工期をより短縮することができる。
【００５１】
次に、建物１０の施工方法について説明する。図７は、所定階層の施工方法の一例を説明するフローチャートである。建物１０の施工方法は、実施形態において、コア部施工工程Ｓ１０と、エレベータ設置工程Ｓ２０と、揚重工程Ｓ３０と、運搬工程Ｓ４０と、外周部施工工程Ｓ５０と、を含む。
【００５２】
まず、コア部施工工程Ｓ１０において、所定階層ＳＬのコア部２０を施工する。次に、エレベータ設置工程Ｓ２０において、仮設のエレベータ６０を設置する。その後、揚重工程Ｓ３０において、エレベータ６０によって部材を揚重し、運搬工程Ｓ４０において、部材を運搬する。外周部施工工程Ｓ５０において、運搬した部材を用いて外周部５０を施工する。コア部施工工程Ｓ１０と、エレベータ設置工程Ｓ２０と、揚重工程Ｓ３０と、運搬工程Ｓ４０と、外周部施工工程Ｓ５０と、について、以下に詳しく説明する。
【００５３】
コア部施工工程Ｓ１０において、所定階層ＳＬのコア部２０を施工する。コア部施工工程Ｓ１０は、図４に示す第１柱２４及び第２柱２６の連結工程Ｓ１２と、接合工程Ｓ１４と、注入工程Ｓ１６と、緊張工程Ｓ１８と、を含む。所定階層ＳＬにおけるコア部施工工程Ｓ１０において、まず第１柱２４を施工し、次に第２柱２６を施工し、第１梁２８及びエネルギ吸収部材３０を施工する。コア部２０の第１柱２４の施工工程において、下階層ＬＬの第１柱２４との接合を実施し、所定階層ＳＬにおける第１柱２４を施工する。コア部２０の第２柱２６の施工工程において、下階層ＬＬの第２柱２６との接合を実施し、所定階層ＳＬにおける第２柱２６を施工する。第１柱２４及び第２柱２６が施工された後に、第１梁２８及びエネルギ吸収部材３０が施工される。所定階層ＳＬのコア部施工工程Ｓ１０において施工される第１柱２４、第２柱２６、第１梁２８及びエネルギ吸収部材３０は、予め所定階層ＳＬまで揚重しておく。例えば、所定階層ＳＬの第１柱２４は、まずエレベータ又はクレーン等によって、プレキャストコンクリート３２を、所定階層ＳＬまで揚重する。その後、クレーンによって、プレキャストコンクリート３２を下層階ＬＬの第１柱２４の上部まで運搬し、連結工程Ｓ１２を開始する。
【００５４】
エレベータ設置工程Ｓ２０において、所定階層ＳＬまで昇降可能なエレベータ６０をコア部２０に設置する。より具体的には、所定階層ＳＬの第２柱２６に沿ってガイドレール６４を設置する。下階層ＬＬの第２柱２６に沿って設置されたガイドレール６４に連結して、ガイドレール６４を所定階層ＳＬまで延長させる。エレベータ設置工程Ｓ２０は、少なくとも所定階層ＳＬの第２柱２６の緊張工程Ｓ１８よりも後に実施される。エレベータ設置工程Ｓ２０は省略されもよい。
【００５５】
揚重工程Ｓ３０において、エレベータ６０によって、コア部２０及び外周部５０の少なくとも一方を構成する部材を所定階層ＳＬまで揚重する。揚重工程Ｓ３０は、エレベータ６０によって揚重しなくてもよい。例えば、クレーン等によって揚重してもよく、コア部２０及び外周部５０の少なくとも一方を構成する部材を揚重できればどんな手段でもよい。
【００５６】
運搬工程Ｓ４０において、揚重工程Ｓ３０によって所定階層ＳＬまで揚重された部材を、外周部５０の外周に配置されたクレーン７０Ａ及びクレーン７０Ｂによって運搬する。運搬工程Ｓ４０は、クレーン７０Ａ及びクレーン７０Ｂによって運搬しなくてもよく、クレーンの数も２台に限られない。例えば、運搬台車、カゴ台車、リフター、作業員等によって運搬してもよく、所定階層ＳＬまで揚重された部材を、施工場所まで運搬できればどんな手段でもよい。
【００５７】
外周部施工工程Ｓ５０は、外周部５０の所定階層ＳＬを施工する。外周部施工工程Ｓ５０は、少なくとも所定階層ＳＬのコア部施工工程Ｓ１０よりも後に実施される。外周部施工工程Ｓ５０は、実施形態において、運搬工程Ｓ４０より後に実施される。
【００５８】
所定階層ＳＬより上の階層のコア部施工工程Ｓ１０は、所定階層ＳＬより下の階層のエレベータ設置工程Ｓ２０、揚重工程Ｓ３０、運搬工程Ｓ４０及び外周部施工工程Ｓ５０よりも後に実施されてもよく、前に実施されてもよく、同時に実施されてもよい。所定階層ＳＬまでのエレベータ設置工程Ｓ２０は、所定階層ＳＬまでの揚重工程Ｓ３０、運搬工程Ｓ４０及び外周部施工工程Ｓ５０よりも後に実施されてもよく、同時に実施されてもよい。所定階層ＳＬまでの揚重工程Ｓ３０は、所定階層ＳＬまでのエレベータ設置工程Ｓ２０よりも後に実施されてもよく、同時に実施されてもよい。エレベータ設置工程Ｓ２０は、省略されてもよい。
【００５９】
コア部施工工程Ｓ１０は、コア部２０を有さない上方の層階において、実施されない。コア部２０を有さない上方の層階においては、第１柱２４を施工した後、隣接する２つの第１柱２４の間に第４梁５８を施工する。第１柱２４の施工方法は、コア部２０の第１柱２４の施工方法と同様である。第４梁５８の施工方法は、第１梁２８の施工方法と同様である。
【００６０】
以上説明したように、実施形態の建物１０の施工方法は、複数のアンボンドプレキャストプレストレストコンクリート柱（柱２２）を含むコア部２０と、コア部２０の外周に設けられる外周部５０とを備える。建物１０の施工方法は、コア部２０の所定階層ＳＬを施工するコア部施工工程Ｓ１０と、外周部５０の所定階層ＳＬを少なくともコア部施工工程Ｓ１０よりも後に施工する外周部施工工程Ｓ５０と、を含む。
【００６１】
これにより、コア部２０における上下に隣接する柱２２を接合する施工期間を短縮できる。部材を限られたクレーンを使用せずに揚重するための経路として所定階層ＳＬのコア部２０を利用できるので、クレーンを活用でき、所定階層ＳＬのコア部２０及び外周部５０の施工効率が向上する。このため、建物１０の施工方法は、工期を短縮できる。
【００６２】
建物１０の施工方法は、外周部５０における所定階層ＳＬのコンクリート養生中に、コア部２０における所定階層ＳＬより上の複数階層を施工する。このような建物１０の施工方法によれば、外周部５０よりも先に上の階層の施工を進めたコア部２０を利用し、部材等を揚重することができる。これにより、外周部５０の施工を効率よくすすめることが可能となり、全体として大幅な工期短縮ができる。
【００６３】
建物１０の施工方法は、アンボンドプレキャストプレストレストコンクリート柱（柱２２）が、コア部２０の角部に配置される第１柱２４と、コア部２０の辺部に配置される第２柱２６と、を含み、コア部２０が、第１柱２４と第２柱２６との間に設けられたエネルギ吸収部材３０と、隣接する２つの第２柱２６の間に設けられた梁（第１梁２８）と、を含む。このような建物１０の施工方法によれば、第１柱２４及び第２柱２６はアンボンドプレキャストプレストレストコンクリート柱であり、第１梁２８及びエネルギ吸収部材３０は、第１柱２４及び第２柱２６への固定に養生期間を必要としない。これにより、コア部２０の所定階層ＳＬの施工後、すぐに上の階層のコア部２０を施工することができるので、コア部２０の施工期間を短縮できる。
【００６４】
建物１０の施工方法は、アンボンドプレキャストプレストレストコンクリート柱（柱２２）が、プレキャストコンクリート３２、及びプレキャストコンクリート３２を貫通するＰＣ鋼材である緊張材３４を備え、コア部施工工程Ｓ１０が、コア部２０における所定階層ＳＬより一階層下の下階層ＬＬの緊張材３４に、所定階層ＳＬの緊張材３４を連結する連結工程Ｓ１２と、下階層ＬＬのプレキャストコンクリート３２に、所定階層ＳＬのプレキャストコンクリート３２を接合する接合工程Ｓ１４と、接合工程Ｓ１４の後に所定階層ＳＬの緊張材３４を上方に引っ張る緊張工程Ｓ１８と、を含む。このような建物１０の施工方法によれば、所定階層ＳＬの柱２２の施工後、すぐに上の階層の柱２２を施工することができるので、コア部２０の施工期間を短縮できる。
【００６５】
コア部２０を構成する第１柱２４及び第２柱２６はアンボンドプレキャストプレストレストコンクリート柱であるので、貫通孔３８に充填剤を充填しなくてよい。これにより、コア部２０の所定階層ＳＬの施工後、すぐに上の階層のコア部２０を施工することが可能である。外周部５０の所定階層ＳＬを施工している間、例えば、外周部５０の第３柱５２のコンクリートの硬化期間中に、コア部２０の複数階層の施工を進めることができる。さらに、外周部５０よりも先に上の階層の施工を進めたコア部２０を利用し、部材等を揚重することができるため外周部５０の施工を効率よくすすめることが可能となり、全体として大幅な工期短縮ができる。
【００６６】
建物１０の施工方法は、緊張工程Ｓ１８よりも後に、所定階層ＳＬまで昇降可能なエレベータ６０をコア部２０に設置するエレベータ設置工程Ｓ２０を含む。このような建物１０の施工方法によれば、工期をより短縮できる。具体的には、エレベータ６０は、コア部２０及び外周部５０を構成する部材、工事用機材、作業員等の所定階層ＳＬまでの搬送を容易にできる。
【００６７】
建物１０の施工方法は、エレベータ６０によって、外周部５０を構成する部材を所定階層ＳＬまで揚重する揚重工程Ｓ３０を含む。このような建物１０の施工方法によれば、工期をより短縮できる。具体的には、エレベータ６０によって外周部５０を構成する部材が所定階層ＳＬまで効率的に搬入されるので、所定階層ＳＬの外周部５０の施工効率がより向上する。
【００６８】
建物１０の施工方法は、揚重工程Ｓ３０によって所定階層ＳＬまで揚重された部材を、外周部５０の外周に配置されたクレーン（クレーン７０Ａ及びクレーン７０Ｂ）によって運搬する運搬工程Ｓ４０を含む。このような建物１０の施工方法によれば、工期をより短縮することができる。具体的には、エレベータ６０によって外周部５０を構成する部材を揚重できるので、エレベータ６０とクレーン７０Ａ及びクレーン７０Ｂとが同時に揚重及び運搬作業をすることができる。
【符号の説明】
【００６９】
１０  建物
２０  コア部
２２  柱
２４  第１柱
２６  第２柱
２８  第１梁
３０  エネルギ吸収部材
３２  プレキャストコンクリート
３４  緊張材
３６  凹部
３８  貫通孔
４０  継手
４２  プレート
４４  ナット
４６  カバー
４８  充填材
５０  外周部
５２  第３柱
５４  第２梁
５６  第３梁
５８  第４梁
６０  エレベータ
６２  搬送部
６４  ガイドレール
７０Ａ、７０Ｂ  クレーン
７２  支柱
７４  本体
７６  ブーム
７８  滑車
ＴＡ、ＴＢ  作業領域
ＳＬ  所定階層
ＬＬ  下階層
Ｓ１０  コア部施工工程
Ｓ１２  連結工程
Ｓ１４  接合工程
Ｓ１６  注入工程
Ｓ１８  緊張工程
Ｓ２０  エレベータ設置工程
Ｓ３０  揚重工程
Ｓ４０  運搬工程
Ｓ５０  外周部施工工程
【図１】
2020056165.tif 000003
【図２】
2020056165.tif 000004
【図３】
2020056165.tif 000005
【図４】
2020056165.tif 000006
【図５】
2020056165.tif 000007
【図６】
2020056165.tif 000008
【図７】
2020056165.tif 000009